(57)【特許請求の範囲】
【請求項１】
クラウン部及び鍔部とから構成されている帽子に於いて、当該クラウン部或いは鍔部の少なくとも一部であって、且つ当該クラウン部或いは当該鍔部の円周の少なくとも一部に帯状の通気部を設けると共に、当該通気部に対応して当該通気部を被覆する被覆部が設けられており、且つ当該被覆部の自由端縁には当該自由端縁に沿って袋状部が形成されていると共に、当該袋状部内には、弾性線条体が挿入されており、当該弾性線条体が形成しているループの直径を変化させることによって、当該被覆部は当該通気部を任意に且つ選択的に開放状態若しくは閉鎖状態にしうる様に構成されている事を特徴とする帽子。
【請求項２】
当該通気部は、当該クラウン部或いは当該鍔部の少なくとも一部であって、当該クラウン部と当該鍔部との接合部の近傍若しくは当該接合部に接して、当該接合部に並行に且つ当該クラウン部或いは当該鍔部の円周の少なくとも一部に帯状の通気部を設けられている事を特徴とする請求項１に記載の帽子。
【請求項３】
当該帯状通気部はメッシュ状布帛、多孔性布帛、多孔性フィルム或いはそれらの積層体等から選択された一つで構成されている事を特徴とする請求項１又は２に記載の帽子。
【請求項４】
当該通気部を構成する当該布帛、フィルム等は、所望の硬さを有しており、形態保持性を有している事を特徴とする請求項３に記載の帽子。
【請求項５】
当該帯状の通気部が当該クラウン部と当該鍔部との接合部に平行に且つ当該クラウン部或いは当該鍔部の円周全体に設けられている事を特徴とする請求項１乃至４の何れかに記載の帽子。
【請求項６】
当該帯状通気部が、当該クラウン部の円周に沿って且つ、互いに所定の間隔を有して複数段配置されている事を特徴とする請求項５に記載の帽子。
【請求項７】
当該被覆部は、当該通気部の略全体をカバーする大きさを有している事を特徴とする請求項１乃至６の何れかに記載の帽子。
【請求項８】
当該帯状被覆部は、その一方の長辺部が、当該帯状通気部下側の長辺部と接合されており、当該帯状被覆部は、その他方の長辺部が自由端部を形成している事を特徴とする請求項１乃至７の何れかに記載の帽子。
【請求項９】
当該被覆部は伸縮性の布帛で構成されている事を特徴とする請求項１乃至８の何れかに記載の帽子。
【請求項１０】
当該弾性線条体は、合成樹脂からなる事を特徴とする請求項１乃至９の何れかに記載の帽子。
【請求項１１】
当該弾性線条体は、当該クラウン部を周回するように当該袋状部内に挿入されている事を特徴とする請求項１乃至１０の何れかに記載の帽子。
【請求項１２】
当該弾性線条体は、釣り糸或いはテグスからなる事を特徴とする請求項１乃至１１のいずれかに記載の帽子。
【請求項１３】
当該弾性線条体は、その両端部に於いて所定の長さだけ重複して配置されている事を特徴とする請求項１乃至１２の何れかに記載の帽子。
【請求項１４】
当該弾性線条体における一方の端部は、当該袋状部の内部に於いて、当該被覆部を構成する布帛の一部に固定されている事を特徴とする請求項１３に記載の帽子。
【請求項１５】
当該弾性線条の他方の端部は、重複している当該弾性線条体の本体部に沿って摺動可能に構成されている事を特徴とする請求項１４に記載の帽子。
【請求項１６】
当該弾性線条体のループ径を調整する為の操作部が、重複して配置されている当該弾性線条体の内の一方の当該弾性線条体部分に設けられている事を特徴とする請求項１５に記載の帽子。
【請求項１７】
当該操作部は、当該袋部内に、端部が固定されている当該弾性線条体の端部の近傍部分で、当該弾性線条体の近傍部分と重複して配置されている当該弾性線条体に於ける他端部の近傍部分の一部に固着されている事を特徴とする請求項１６に記載の帽子。
【請求項１８】
当該操作部は、当該袋状部から外部に露出せしめられている事を特徴とする請求項１６又は１７に記載の帽子。
【請求項１９】
当該袋状部の少なくとも一部に、当該操作部が外部に露出する開口部が設けられている事を特徴とする請求項１６乃至１８の何れかに記載の帽子。
【請求項２０】
当該袋状部に於ける当該開口部の端部は、当該操作部のストッパーとして機能するものである事を特徴とする請求項１６乃至１９の何れかに記載の帽子。
【請求項２１】
当該被覆部は、バイアス布帛で構成されている事を特徴とする請求項９に記載の帽子。
【請求項２２】
当該被覆部は、当該帯状被覆部の下方長辺が、当該帽子に於ける当該クラウン部或いは当該鍔部に設けられている当該通気部の下方長辺と接合される際に、当該帯状被覆部の下方長辺が、当該帯状被覆部の長手方向中心線よりも長くなる様に伸張されながら当該通気部の下方長辺と接合されている事を特徴とする請求項２１に記載の帽子。
【請求項２３】
当該帯状被覆部の下方長辺は、当該帯状被覆部の長手方向中心線よりも２乃至１０％、好ましくは、３乃至５％長くなる様に伸張されている事を特徴とする請求項２２に記載の帽子。
【請求項２４】
該当該被覆部でカバーされた当該通気部とは別に、当該被覆部を有しない通気部が更に設けられている事を特徴とする請求項１乃至２３の何れかに記載の帽子。
【請求項２５】
当該通気部を形成する多孔性布帛の一部に切り欠け部を設け、フリーサイズ構成を付加した事を特徴とする請求項１乃至２４の何れかに記載の帽子。
【発明の詳細な説明】
【０００１】
【発明の属する技術分野】
本発明は、帽子に関するものであり、特に詳しくは、任意に、且つ必要な状態に於いて簡単に優れた通気性を持たせる事が可能な構造を有する帽子に関するものである。
【０００２】
【従来の技術】
従来より、通気性を持たせた帽子は周知である。
然しながら、従来の通気性を持たせた帽子は、帽子本体の一部に、開口部を設け、当該開口部に、通気性の大なる布帛或いは孔開きフィルム等を添着させたものであり、従って、当該通気性を有する通気部は、外部から常に通気部として認識されてしまうので、帽子としての外観が悪化して、品質が悪化し商品価値を低下させることになっていた。
従って、従来に於いては、当該通気性部分を出来るだけ目立たない様な位置に配置すると共に、当該通気部の大きさも出来るだけ小さくする必要があった。
その為、従来の帽子に於いては、帽子のデザインに大きな制約があり、大胆なデザインを採用することは困難であるほか、帽子に要求される通気性も低く抑えられているため、実質的な通気性を有し且つ外観も悪化しない帽子を得ることは不可能であった。
【０００３】
【発明が解決しようとする課題】
本発明の目的は上記従来に於ける欠点を解決し、所望の通気性を有し且つ、外観的にも高級感のあるデザインを設計することが可能であり、然も、当該通気性を機能させる状態と当該通気性を機能させない状態を任意に且つ選択的に設定することが可能であるように構成された帽子を提供するものである。
【０００４】
【課題を解決するための手段】
本発明は上記した目的を達成する為、以下に示す様な基本的な技術構成を採用するものである。即ち、本発明に於ける帽子の態様は、クラウン部及び鍔部とから構成されている帽子に於いて、当該クラウン部或いは鍔部の少なくとも一部であって、且つ当該クラウン部或いは当該鍔部の円周の少なくとも一部に帯状の通気部を設けると共に、当該通気部に対応して当該通気部を被覆する被覆部が設けられており、且つ当該被覆部の自由端縁には当該自由端縁に沿って袋状部が形成されていると共に、当該袋状部内には、弾性線条体が挿入されており、当該弾性線条体が形成しているループの直径を変化させることによって、当該被覆部は当該通気部を任意に且つ選択的に開放状態若しくは閉鎖状態にしうる様に構成されている帽子である。
【０００５】
【発明の実施の形態】
本発明にかかる当該帽子は、上記した様な技術構成を採用しているので、通常は、外観が通常の帽子と変わらない外観形状或いは外観デザインを有して且つ通気性も遮断されているが、通気性を必要とする環境になった場合には、ワンタッチの操作によって、通気性を発揮しえる構成に変更させることが出来る様に構成された帽子が容易に得られるのであり、更には、所望の通気性を有し且つ、外観的にも高級感のあるデザインを設計することが可能であり、然も当該通気性を機能される状態と当該通気性を機能させない状態を任意に且つ選択的に設定することが可能であるように構成された帽子が容易に得られる。
【０００６】
【実施例】
以下に、本発明に係る帽子の一具体例の構成を、図面を参照しながら詳細に説明する。
即ち、図１は、本発明に係る帽子の一具体例を示す斜視図であって、図中、クラウン部２及び鍔部３とから構成されている帽子１に於いて、当該クラウン部２若しくは当該鍔部３の少なくとも一部であって、且つ当該クラウン部２若しくは当該鍔部３の円周の少なくとも一部に帯状の通気部４を設けると共に、当該通気部４に対応して当該通気部４を被覆する被覆部５が設けられており、当該被覆部５は、当該通気部４を任意に且つ選択的に開放状態若しくは閉鎖状態にしうる様に構成されている帽子１が示されている。
【０００７】
本発明にかかる当該帽子１に於いては、当該通気部４は、当該クラウン部２の少なくとも一部であって、当該クラウン部２と当該鍔部３との接合部６の近傍に、当該接合部６に並行に且つ当該クラウン部２若しくは当該鍔部３の円周の少なくとも一部に帯状の通気部４を設けたものであってもよく、当該クラウン部２若しくは当該鍔部３の何れかの部分に当該クラウン部２を一周する様に設けられているもので有って良い。
更に、本発明に於ける当該帽子１に於いては、当該通気部４及び当該被覆部５とは、当該クラウン部２と当該鍔部３との接合部６であるサイズ元と必ずしも平行となるように配置されていなくとも良く、図４に示す様に、当該サイズ元に対して適度の角度をもって配置されているものであっても良い。
【０００８】
本発明に於ける、当該帽子１で使用される通気部４は、図５に示す様に、当該クラウン部２の上下位置のどの位置に設けられていても良く、又、１段に限らず複数個の通気部４が、多段に互いに平行に設けられているものであっても良い。尚、本発明に於いては、当該通気部４を当該鍔部３に設ける場合に有っては、当該サイズ元に接触した位置に所定の幅で設ける事が通気性の効果を最大に発揮するためには好ましい。
又、本発明に於ける当該通気部４が多段に設けられる場合には、当該通気部４の全てに本発明に於いて定義される当該被覆部５が設けられる必要はなく、少なくとも一つの当該通気部４に本発明の被覆部５が設けられている事が必要である。
本発明に於ける当該通気部４は、図３（Ａ）乃至図３（Ｃ）に示す様に、帯状の長尺方向に中心線を持った矩形の形状を有するものであっても良く、或いは、当該長尺方向に沿って、その幅、つまり、当該中心線に対して直交する方向の長さが変化するような構造を有するものであっても良い。
【０００９】
本発明に於ける当該帯状通気部４は、当該クラウン部２に於ける適宜の部位に開口部を設け、当該開口部に通気性の大なる孔部或いはメッシュ部を有するメッシュ状布帛、多孔性布帛、多孔性フィルム或いはそれらの積層体等から選択された一つの通気性部材４３が、添着せしめられているものである。
当該メッシュ状布帛としては、例えば、粗密度織物、トリコットを含む編組布帛、不織布を含む通常の布帛或いはフィルム等に、例えば、ポンチ技術等を使用して適宜の孔を多数形成させた多孔性布帛、多孔性フィルムを使用することも出来る。
更に、本発明に於ける当該通気部４を構成する当該布帛、フィルム等４３は、所望の硬さを有しており、形態保持性を有している事が望ましい。
又、当然のことながら、本発明に於ける当該通気部４を構成する通気性布帛或いは通気性フィルム４３は、当該通気部４の形状に一致する形状に形成されるものであって、その形状は、上記した様に、図３（Ａ）乃至図３（Ｃ）に示す様な、長手方向に直交する長さ、つまり当該帯状の通気性布帛或いはフィルム４３の幅は、一定に形成されているものであっても良く、或いは、当該幅の長さが当該帯状の通気性布帛或いはフィルム４３の長手方向に沿って変化している様な形状をとるものであっても良い。
【００１０】
更に、本発明に於ける当該帽子１に於いては、上記した様に、当該帯状の通気性布帛或いは通気性フィルム４３は、当該クラウン部２と当該鍔部３との接合部６と平行若しくは適当な角度を形成して配置されている事が望ましい。
又、本発明に於いては、当該通気部４は、当該クラウン部２の円周全体に設けられていても良く、或いは、図５（Ａ）に示す様に、当該クラウン部２の円周の一部を形成する様に設けるものであっても良い。
更に、本発明に於ける当該帯状通気部４が、図５（Ｂ）に示す様に、当該クラウン部２の円周に沿って且つ、互いに適宜の間隔を有して複数段配置されている事も好ましい。
又、本発明に於ける当該通気部４には、略帯状に形成された布帛から構成された被覆部５が開閉自在な機構を有する状態で取り付けられているものである。
即ち、当該被覆部５は、当該通気部４の略全体をカバーする大きさを有している事が望ましく、又、当該帯状被覆部５は、その一方の長辺部５１が、当該帯状通気部４の下側の長辺部４１接着或いは縫着等の技術を使用して接合されており、当該帯状被覆部５は、その他方の長辺部５２が自由端部を形成している事が好ましい。
【００１１】
本発明に於ける当該被覆部５は、伸縮性を有する適宜の布帛で構成されている事が好ましく、例えば、当該被覆部５は、バイアス布帛で構成されている事が望ましい。
本発明に於いて、当該被覆部５がバイアス布帛を使用する場合には、当該被覆部を構成する当該バイアス布帛は、当該クラウン部２或いは当該鍔部３に設けられた開口部若しくは当該開口部に設けられている通気性布帛４３の下端縁部４１つまり当該開口部の長手方向の辺のうちで長い方の近傍に、適宜の状態に伸張させた状態のまま接合することが望ましい。
【００１２】
より具体的には、図６に示す様に、当該帯状被覆部５の下方長辺５１が、当該帽子に於ける当該クラウン部２の当該開口部の下端部或いは、当該クラウン部２と当該鍔部３との接合部６であるサイズ元部と接合される際に、当該帯状被覆部５の下方長辺５１が、当該帯状被覆部５の長手方向中心線５３よりも長くなる様に伸張されながら接合される事が好ましい。
更に、詳述するならば、本発明に於いて、当該帯状被覆部５の下方長辺５１は、当該帯状被覆部５の長手方向中心線５３よりも２乃至１０％、好ましくは、３乃至５％長くなる様に伸張されている事望ましい。
【００１３】
かかる構成を採用することによって、後述する様な当該被覆部５を当該通気部４の開閉部材として使用した場合に、当該被覆部５は、当該通気部４を閉鎖した場合には、図１（Ａ）及び図１（Ｂ）に示す様に、当該被覆部５は当該クラウン部２の円周表面の形状に完全に馴染み、且つ当該通気部４の開口部４４を完全に閉鎖することが可能となり、又、当該通気部４を開放する場合には、当該被覆部５の上端縁部５２を含む上半分の部分が図２（Ａ）及び図２（Ｂ）に示す様に、当該被覆部５の略中央部から外側に湾曲状に膨出して外観上からも体裁や見栄えの良い開口状態が実現されることになる。
【００１４】
又、本発明に於いて、当該通気部４を当該鍔部３に設ける場合には、当該被覆部５は、当該通気部４を閉鎖した場合には、図１（Ｃ）及び図１（Ｄ）に示す様に、当該被覆部５は当該クラウン部２の円周表面の形状に完全に馴染み、且つ当該通気部４の開口部４４を完全に閉鎖することが可能となり、又、当該通気部４を開放する場合には、当該被覆部５の上端縁部５２を含む上半分の部分が図１（Ｅ）に示す様に、当該被覆部５の略中央部から上側に湾曲状に膨出して外観上からも体裁や見栄えの良い開口状態が実現されることになる。
又、本発明に於いては、当該通気部４と被覆部５を組み合わせた開閉機構を当該帽子に於ける鍔部３とクラウン部２の双方に個別に設けることも可能である。
【００１５】
次に、本発明に於ける当該被覆部に設けられる当該通気部４の開閉機構の一具体例を詳細に説明する。
本発明にかかる当該被覆部５の開閉機構は、例えば、図７（Ａ）に示す様に、当該被覆部５を構成する布帛或いはフィルム等の上部縁部５２に沿って袋状部１１を設けるものである。
即ち、本発明に於いては、当該被覆部５の当該自由端１５には当該自由端１５に沿って袋状部１１が形成されているものである。
当該袋状部１１は、図７（Ｂ）に示す様に、当該被覆部５の上部縁部５２の上部の一部を湾曲状に折り曲げて、その端部を縫製処理１２等によって当該被覆部５本体部に固定したものであっても良く、あるいは、予め当該被覆部５を設定幅よりも２倍の幅に形成しておきその中央部を折り曲げて二重布帛に構成しその上端縁部に縫製処理等１２により袋状部１１を形成したものであっても良い。
この場合には当該被覆部５を構成する布帛そのものが全体的に二重構造を呈することになる。
【００１６】
そして、本発明に於いては、当該袋状部１１に、弾性線条体１３が挿入されている事が望ましい。
本発明に於ける当該弾性線条体１３は、重量や耐久性或いは水洗性等を考慮すると、合成樹脂から構成されている事が望ましい。
又、本発明に於ける当該弾性線条体１３は、ナイロン或いはポリプロピレン、又は機能樹脂から構成された適宜のブリッスルで構成されるものであって、例えば、釣り糸或いはテグスを使用することも可能である。
又、本発明に於ける当該弾性線条体１３の太さ或いは長さは特に限定されるものではなく、使用される帽子のサイズ、布帛の種類等から適宜に設計して決定することが可能である。
【００１７】
一方、本発明に於ける当該弾性線条体１３は、当該クラウン部を周回するように当該袋状部１１内に挿入されている事が好ましく、より具体的には、当該弾性線条体１３は、図８或いは図９に示す様に、当該弾性線条体１３は、その両端部１６，１７に於いて所定の長さだけ互いに重複して配置されている事が好ましく、又、当該弾性線条体１３における一方の端部１６は、当該袋状部１１の内部に於いて、当該被覆部５を構成する布帛５４の一部に固定３０されており、又、当該弾性線条１３の他方の端部１７は、重複している当該弾性線条体の本体部１８に沿って摺動可能に構成されている事が好ましい。
更に、本発明に於いては、当該弾性線条体１３に、適宜の操作部２０を設け、当該弾性線条体１３を適宜に摺動移動させることによって、図１０に示す様に当該弾性線条体１３が形成するループの径を変化させることによって、当該被覆部５の構成布帛５４の上端部５２を当該通気部４に対して開閉自在に操作することを可能とするものである。
【００１８】
当該操作部２０は、好ましくは、当該弾性線条体１３の端部が互いに重複して配置されている部分に設けられている事が好ましい。
つまり、本発明に於ける当該操作部２０は、当該袋部１１内に、その端部１６が固定部３０として示されているように固定されている当該弾性線条体１３の端部１６の近傍部分１４と重複して配置されている当該弾性線条体１３に於ける他端部１７の近傍部分１９の一部に固着されている事が好ましい。
本発明に於ける当該操作部２０は、例えば、木製、金属、或いはプラスチック等の材質で構成された小型の球体、楕円体、柱状体、立方体等を含む装飾効果を兼ねた立体的な小片で構成されていることが好ましく、当該操作部２０には、貫通孔２２が設けられており、当該貫通孔２２は、当該弾性線条体１３の一部である端部１７の近傍部の当該弾性線条体の一部１９と適宜の接着材、或いは適宜の嵌め合わせ手段を介して強固に固定せしめられている事が好ましい。
【００１９】
本発明に於いては、当該操作部２０は、使用者が容易に当該操作部２０を操作して当該通気部４の開口或いは閉鎖を実施することが出来る様に、当該袋状部１１から外部に露出せしめられている事好ましい。
その為、本発明に於いては、当該袋状部１１の少なくとも一部に、例えば、当該帽子の後頭部、或いは、側頭部等に対応する部分に当該操作部２０が外部に露出する様に構成された開口部２５が設けられている事が望ましい。
更に、本発明に於ける当該袋状部１１に於ける当該開口部２５の両側に設けられる２個の端部２６、２７は、当該操作部２０のストッパーとして機能するものである。
【００２０】
本発明に於いては、かかる操作部機構を採用することによって、図１０に示す様に、当該弾性線条体１３は、当該操作部２０が当該弾性線条体１３の重複領域で、当該弾性線条体１３に沿って、摺動させることによって、当該弾性線条体１３が形成しているループ２８の直径Ｌを変化させることが可能となる。
その結果、当該ループ２８の直径Ｌ‘を、当該被覆部５が当該通気部４の開口部を閉鎖する状態に対応させておき、又、当該ループ２８の直径Ｌ“を、当該被覆部５が当該通気部４の開口部を開放する状態に対応させておくことによって、当該被覆部５を当該操作部２０の摺動操作によって、当該通気部４を、選択的に、開放状態と、閉鎖状態に任意に設定することが可能となる。
【００２１】
本発明に於ける当該被覆部５でカバーされた当該通気部４は、図４或いは図５に示す様に、当該帽子における当該クラウン部に複数個、当該鍔部３に対し略並行に或いは所定の角度をもって形成することも可能であり、更に、本発明に於いては、当該被覆部５でカバーされた当該通気部４とは別に、当該被覆部５を有しない通常の通気部３０が一つ或いは複数個更に設けられていても良い。
又、本発明に於いては、図１１に示す様に、当該通気部４を形成する多孔性布帛４３の一部、例えば、当該クラウン部２於ける、後頭部に相当する部分、に切り欠け部９を設け、当該部分に弾性帯状体４０を張設して、フリーサイズ構成を付加した構成を付加することも可能である。
【００２２】
【発明の効果】
本発明は、上述した様な構成を採用しているので、所望の通気性を有し且つ、外観的にも高級感のあるデザインを設計することが可能であり、然も、当該通気性を機能させる状態と当該通気性を機能させない状態を任意に且つ選択的に設定することが可能であるように構成された帽子を容易に且つ安価に得られるのである。
【図面の簡単な説明】
【図１】図１は、本発明にかかる帽子の一具体例における構成の概要を示す図であり、特に被覆部が通気部を閉鎖している状態を示す図である。
【図２】図２は、本発明にかかる帽子の一具体例における構成の概要を示す図であり、特に被覆部が通気部を開放している状態を示す図である。
【図３】図３は、本発明に於いて使用される通気部の開口部の形状及び多孔性布帛の構成例を示す図である。
【図４】図４は、本発明に於いて使用される通気部の配置例を示す図である。
【図５】図５は、本発明に於いて使用される通気部の開口部の配置状態の例を示す図である。
【図６】図６は、本発明に於いて使用される被覆部の構成を説明する図である。
【図７】図７は、本発明にかかる帽子における開閉機構の一具体例における構成の概要を説明する図である。
【図８】図８は、本発明における開閉機構をより詳細に説明する図である。
【図９】図９は、本発明における開閉機構をより詳細に説明する図である。
【図１０】図１０は、本発明における開閉機構をより詳細に説明する図である。
【図１１】図１１は、本発明に於ける帽子の他の具体例を説明する図である。
【符号の説明】
１  帽子
２  クラウン部
３  鍔部
４  通気部
５  被覆部
６  接合部、サイズ元
１１  袋状部
１２  縫製処理部
１３  弾性線条体
１５  被覆部５の自由端
１６、１７  弾性線条体の被覆部を構成する両端部
１８  弾性線条体の本体部
１９  弾性線条体１３に於ける他端部１７の近傍部分
２０  操作部
２２，２３  貫通孔
２５  袋状部の開口部
２６、２７  袋状部の開口部の端部
３０  弾性線条体の一端部１６と被覆部の布帛との固定部
４１  帯状通気部４の下側の長辺部
４２  帯状通気部４の上側の長辺部
４３  通気性部材
４４  通気部４の開口部
５１  被覆部を構成する布帛下側の長辺部
５２  被覆部を構成する布帛上側の長辺部
５３  被覆部を構成する布帛の中心線
５４  被覆部を構成する布帛
【図１】
0003660902.tif 000002
【図２】
0003660902.tif 000003
【図３】
0003660902.tif 000004
【図４】
0003660902.tif 000005
【図５】
0003660902.tif 000006
【図６】
0003660902.tif 000007
【図７】
0003660902.tif 000008
【図８】
0003660902.tif 000009
【図９】
0003660902.tif 000010
【図１０】
0003660902.tif 000011
【図１１】
0003660902.tif 000012